(57)【要約】【課題】遮断弁の開閉動作を円滑に行うため、プランジャの移動方向と弁体を取り付けたロッドの軸心とが同方向に保持される接合構造を提供する。【解決手段】ソレノイドコイル１６の内部にプランジャ１０が設置され、該プランジャ１０の中心軸に一本の連続したロッド１２を貫通させて該プランジャ１０と該ロッド１２とを互いに固定し、該ロッド１２の一端に弁体１１を取り付け、他端を手動操作用ロッドとした。本発明によれば、プランジャの両端にそれぞれ別々にねじ接合していた従来の弁体取付用の接続ロッドと手動操作用プルロッドとを、プランジャ１０の中心軸を貫通する１本の連続したロッド１２に構成したので、従来のねじ接合部に生じる曲がりや変形が解消され、ロッドが周辺部材と接触することがなく、弁体の円滑な開閉動作が得られる。【選択図】        図１
2004176889.tif 000002
【特許請求の範囲】
【請求項１】
ソレノイドコイル１６の内部に設置されたプランジャ１０の軸心に、一本の連続したロッド１２を貫通させて該プランジャ１０と該ロッド１２とを互いに固定し、該ロッド１２の一端には弁体１１が取り付けられ、他端は手動操作用のロッドとなっていることを特徴とする遮断弁。
【発明の詳細な説明】
【０００１】
【発明の属する技術分野】
本発明は遮断弁に係り、特に、都市ガス等の流路に設置され、円滑な開閉動作が可能な遮断弁に関する。
【０００２】
【従来の技術】
従来の遮断弁は、プランジャの一端に接続したロッド（以下、接続ロッドともいう）の先端部に弁体を取り付け、プランジャを電磁力によって移動させることにより、弁体も接続ロッドと共にロッド軸方向に移動して、ガス流路のノズル開口に押し付けられて塞いだり、ノズル開口との間に間隔を形成して流路を開いたりする構造になっている。
【０００３】
また、プランジャの他端には手動操作用のプルロッドが取り付けられ、点検時や非常時にプルロッドを手動により押し引きすることによって、弁体の開閉が可能になっている。（例えば、特許文献１参照）。
【０００４】
【特許文献１】
特公平７−１８４８８号公報
【０００５】
【発明が解決しようとする課題】
しかしながら、従来の遮断弁では、プランジャとロッドとの接合構造が、プランジャの一端に形成したねじ穴に、接続ロッドの外周に形成したねじをねじ込み、同様に他端にプルロッドをねじ込む構造となっている。
【０００６】
そのために、ねじ接合部の精度や組立の方法などで変形（曲がり）が生じ、プランジャの移動方向と、接続ロッドおよびプルロッドの軸方向が同一方向にならなくなるという問題があった。
【０００７】
そのため、例えば、接続ロッドが通っているブラケットの開孔部では、開孔部の縁と接続ロッドとが干渉し、摩擦によって弁体の開閉動作が円滑に行われなくなるという問題が生じた。
【０００８】
本発明の課題は、遮断弁の開閉動作を円滑に行うために、プランジャの移動方向とロッドの中心軸とが、同方向に保持されるプランジャおよびロッドの接合構造を提供することである。
【０００９】
【課題を解決するための手段】
上記課題を解決するために、本発明の遮断弁は、ソレノイドコイル１６の内部に設置されたプランジャ１０の軸心に、一本の連続したロッド１２を貫通させて該プランジャ１０と該ロッド１２とを互いに固定し、該ロッド１２の一端には弁体１１が取り付けられ、他端は手動操作用のロッドとなっていることを特徴とするものである。
【００１０】
本発明によれば、プランジャの両端に連結していた弁体取付用の接続ロッドと、手動操作用のプルロッドとを、プランジャを貫通する一本の連続したロッドにしたので、従来のように、プランジャとロッドとのねじ接合部に生じる変形や曲がりが解消され、プランジャ移動方向とロッドの軸方向の移動が同一方向になるので、ロッドが動作したとき周辺部材と接触するというようなことが防止され、弁体の開閉が円滑に行われる。
【００１１】
【発明の実施の形態】
本発明の実施形態の概要は、弁体１１を取り付けたロッドと手動操作用のプルロッドとを１本のロッド１２で構成し、このロッド１２をプランジャ１０の中心部を貫通させてプランジャ１０とロッド１２とを固定した。
【００１２】
プランジャに取り付けるロッドを連続した１本のロッド１２とすることにより、従来のプランジャへの接続ロッドのねじ込み部や、プルロッドのねじ込み部での折れ曲がりや変形がなく、プランジャ移動方向とロッドの移動方向が同一方向となるので、ブラケット１３の開孔部や他の部材にロッドが干渉する恐れがなく、弁体１１の開閉動作を円滑にできる。
【００１３】
以下、本発明の一実施形態を、図１を参照して説明する。図１は、本実施形態の一例を示す断面図である。１本の連続したロッド１２をプランジャ１０の軸心に貫通させ、止め金具１９およびロックナット２０により両者は互いに固定されている。ロッド１２の先端部には弁体１１が取り付けられ、ロッド１２の軸方向の移動によって弁体１１も移動し、都市ガス等の流路が開閉される。
【００１４】
次に、本実施形態の動作を説明する。図１は弁体１１が上方に移動し、ノズル開口部から離れてガス流路が開放されている状態を示している。この状態はマグネット（永久磁石）１５の磁力によって保持される。
【００１５】
この状態から弁体１１を閉じるときは、ソレノイドカバー２１内のソレノイドコイル１６に通電し、マグネット１５の磁力に打ち勝ってプランジャ１０を図の下方へ移動させる磁力を発生させる。プランジャ１０は下方へ移動し、スプリング１７の付勢力を得てノズル開口部を塞ぐ。さらに、ガスの流れる方向と弁体１１の閉じる方向が同じなので、弁体は背面にガスの圧力を受けてノズル開口部を閉塞する。
【００１６】
次に、弁体１１を開くときは、ソレノイドコイル１６に通電し、スプリング１７の付勢力やガス圧に打ち勝って、プランジャ１０を図の上方へ移動させる磁力を発生させる。これによりプランジャ１０は上方へ移動し、ヨーク１８に吸着され、図１の状態となる。
【００１７】
図２に、従来の遮断弁の断面図を示す。本例が図１の例と相違する点は、弁体１１を取り付けた接続ロッド３１と、手動操作用のプルロッド３２とが、別体に構成され、それぞれのロッド３１、３２がプランジャ３０の両端部にねじ接合されている点である。
【００１８】
そのために、ねじ精度などによってプランジャ３０と接続ロッド３１とのねじ接合部に曲がりや変形が生じやすく、プランジャ３０の軸方向に対して、接続ロッド３１が斜めとなりやすい。その結果、例えばブラケット１３の開孔部の縁１３ａに接続ロッド３１が接触して摩擦を生じ、接続ロッド３１の移動つまり弁体１１の開閉動作が円滑でなくなるという問題点を有している。
【００１９】
また、プランジャ３０とプルロッド３２との接合部でも同様に曲がりが生じる恐れがあり、プルロッド３２と周辺部材との摩擦によって、プランジャ３０および弁体１１が円滑に動作しなくなる恐れがある。
【００２０】
以上のように、本発明の実施形態によれば、弁体を取り付けるロッドとプルロッドとを１本の連続したロッドとし、プランジャの軸心を貫通させてロッドとプランジャとを固定したので、従来のように、プランジャの両端に別々のロッドをねじ込む接合構造が廃止され、従来の接合部における曲がりや変形を解消できる。
【００２１】
しかも、従来の２本のロッドが１本でよく、また、従来必要であった２本のロッドやプランジャのねじ構造を省略できるので、部品精度が向上し、部品点数や製作工程が簡略化され、コストも低下できる。
【００２２】
【発明の効果】
上述のとおり、本発明によれば、従来、プランジャの両端に連結していたプルロッドと弁体接続ロッドとを、プランジャを貫通する一本の連続したロッドにしたので、従来のように、プランジャとロッドとの連結部に生じる変形や曲がりが解消され、ロッドの軸方向の移動が円滑になり、弁体の開閉に誤動作が生じない。
【図面の簡単な説明】
【図１】本発明の一実施形態を示す断面図。
【図２】本発明の一比較例を示す断面図。
【符号の説明】
１０  プランジャ
１１  弁体
１２  ロッド
１３  ブラケット
１５  マグネット（永久磁石）
１６  ソレノイドコイル
１７  スプリング
１８  ヨーク
１９  止め金具
２０  ロックナット
３０  プランジャ
３１  接続ロッド
３２  プルロッド
【図１】
2004176889.tif 000003
【図２】
2004176889.tif 000004